(57)【要約】【課題】コネクタハウジング成形用の金型の型開きに必要なスペースを小さく抑える。【解決手段】コネクタハウジング１０は、前後方向に型開きされる金型によって個別に成形される第１ハウジング１１と第２ハウジング４０を組み付けて構成され、第１ハウジングと第２ハウジングとの間にリテーナ６０を収容するための収容空間７０が形成される。コネクタハウジング１０を成形するための金型としては、両ハウジング１１，４０を成形するための前後方向に型開きされる金型が必要とされるだけであって、前後方向と直角な方向に型開きされる金型は不要であるから、コネクタハウジング成形用の金型の型開きに必要なスペースが小さくて済む。【選択図】図９
2008027701.tif 000002
【特許請求の範囲】
【請求項１】
合成樹脂製のコネクタハウジングと、
前記コネクタハウジング内に前後方向に貫通する形態で形成されたキャビティと、
前記キャビティ内に後方から挿入される端子金具と、
前記コネクタハウジングに対して前記端子金具の挿入方向と直角な方向に組み付けられることで、挿入済みの前記端子金具を抜止めするリテーナとを備えたコネクタにおいて、
前記コネクタハウジングが、前後方向に型開きされる金型によって個別に成形される前後一対のハウジング構成体からなり、
前記一対のハウジング構成体を組み付けた状態では、前側の前記ハウジング構成体と後側の前記ハウジング構成体との間に前記リテーナを収容するための収容空間が形成されていることを特徴とするコネクタ。
【請求項２】
一方の前記ハウジング構成体には、他方の前記ハウジング構成体と前記リテーナを収容するための収容凹部が形成され、
前記収容凹部は、前記一方のハウジング構成体の前後いずれかの端面において前記他方のハウジング構成体を組み付けるために開口する端面側組付口と、前記一方のハウジング構成体における前記端面と直角な外側面において前記リテーナを組み付けるために開口するリテーナ用組付口とを有しており、
前記一方のハウジング構成体における前記端面側組付口の開口縁から前記リテーナ用組付口の開口縁に至る領域が、指を宛がうための指宛て部となっているものであって、
前記指宛て部における前記端面側組付口に臨む内面が、前記リテーナ用組付口の形成されている前記外側面を延長させた仮想平面と合致する形態に形成されていることを特徴とする請求項１記載のコネクタ。
【請求項３】
前記他方のハウジング構成体を前記収容凹部内に組み付けた状態では、前記他方のハウジング構成体の一部が、前記リテーナ用組付口において露出する形態となっているものであって、
前記一方のハウジング構成体と前記他方のハウジング構成体には、互いに係止することで、前記他方のハウジング構成体が前記リテーナ用組付口側へ変位することを規制可能な係止部が形成されていることを特徴とする請求項２記載のコネクタ。
【発明の詳細な説明】
【技術分野】
【０００１】
本発明は、リテーナを備えたコネクタに関するものである。
【背景技術】
【０００２】
リテーナを備えたコネクタとしては、特許文献１に記載されているものがある。このコネクタは、合成樹脂製のコネクタハウジング内に前後方向に貫通するキャビティを形成し、キャビティ内に後方から端子金具を挿入し、コネクタハウジングに対して端子金具の挿入方向と直角な方向にリテーナを組み付け、組み付けたリテーナによって端子金具を抜止めするようになっている。
【特許文献１】特開平１０−９２５０１号公報
【発明の開示】
【発明が解決しようとする課題】
【０００３】
上記のコネクタハウジングを成形するためには、キャビティの貫通方向と同じく前後方向に型開きする金型に加えて、リテーナの組付方向と同じ方向（即ち、キャビティ成形用の金型とは直角な方向）に型開きされるスライドコアと称される別の金型が必要である。そのため、金型の型開きに必要なスペースを大きく確保しなければならず、金型の設置スペースに制約がある場合には、一度に成形できるコネクタハウジングの個数が少なくなるという問題がある。  
本発明は上記のような事情に基づいて完成されたものであって、コネクタハウジング成形用の金型の型開きに必要なスペースを小さく抑えることのできるコネクを提供することを目的とする。
【課題を解決するための手段】
【０００４】
上記の目的を達成するための手段として、請求項１の発明は、合成樹脂製のコネクタハウジングと、前記コネクタハウジング内に前後方向に貫通する形態で形成されたキャビティと、前記キャビティ内に後方から挿入される端子金具と、前記コネクタハウジングに対して前記端子金具の挿入方向と直角な方向に組み付けられることで、挿入済みの前記端子金具を抜止めするリテーナとを備えたコネクタにおいて、前記コネクタハウジングが、前後方向に型開きされる金型によって個別に成形される前後一対のハウジング構成体からなり、前記一対のハウジング構成体を組み付けた状態では、前側の前記ハウジング構成体と後側の前記ハウジング構成体との間に前記リテーナを収容するための収容空間が形成されているところに特徴を有する。
【０００５】
請求項２の発明は、請求項１に記載のものにおいて、一方の前記ハウジング構成体には、他方の前記ハウジング構成体と前記リテーナを収容するための収容凹部が形成され、前記収容凹部は、前記一方のハウジング構成体の前後いずれかの端面において前記他方のハウジング構成体を組み付けるために開口する端面側組付口と、前記一方のハウジング構成体における前記端面と直角な外側面において前記リテーナを組み付けるために開口するリテーナ用組付口とを有しており、前記一方のハウジング構成体における前記端面側組付口の開口縁から前記リテーナ用組付口の開口縁に至る領域が、指を宛がうための指宛て部となっているものであって、前記指宛て部における前記端面側組付口に臨む内面が、前記リテーナ用組付口の形成されている前記外側面を延長させた仮想平面と合致する形態に形成されているところに特徴を有する。
【０００６】
請求項３の発明は、請求項２に記載のものにおいて、前記他方のハウジング構成体を前記収容凹部内に組み付けた状態では、前記他方のハウジング構成体の一部が、前記リテーナ用組付口において露出する形態となっているものであって、前記一方のハウジング構成体と前記他方のハウジング構成体には、互いに係止することで、前記他方のハウジング構成体が前記リテーナ用組付口側へ変位することを規制可能な係止部が形成されているところに特徴を有する。
【発明の効果】
【０００７】
＜請求項１の発明＞
コネクタハウジングを成形するための金型としては、前後方向に型開きされる金型が必要とされるだけであって、前後方向と直角な方向に型開きされる金型は不要であるから、コネクタハウジング成形用の金型の型開きに必要なスペースを小さく抑えることができる。
【０００８】
＜請求項２の発明＞
リテーナ用組付口の形成されている外側面に沿って型開きする金型と、指宛て部における端面側組付口に臨む内面に沿って型開きする金型とを、互いに摺接させる形態にすることができるので、収容凹部と指当て部とリテーナ用組付口を、前後方向に型開きする金型だけで形成することができる。
【０００９】
＜請求項３の発明＞
収容凹部内に組み付けた他方のハウジング構成体の一部が、リテーナ用組付口において露出している場合には、他方のハウジング構成体がリテーナ用組付口側へ変位することが懸念されるが、本発明では、係止部同士を係止させることにより、他方のハウジング構成体の変位を防止することができる。
【発明を実施するための最良の形態】
【００１０】
＜実施形態１＞
以下、本発明を具体化した実施形態１を図１乃至図１８を参照して説明する。本実施形態のコネクタは、第１ハウジング１１（本発明の構成要件である一方のハウジング構成体）と第２ハウジング４０（本発明の構成要件である他方のハウジング構成体）とリテーナ６０と端子金具８０とを備えて構成されている。
【００１１】
第１ハウジング１１は、合成樹脂製であって、全体としてブロック状をなす端子収容部１２と、端子収容部１２から後方へ延出する略角筒状のフード部１３とを一体に形成したものである。端子収容部１２内には、その前端面から後端面へ貫通する複数の前部キャビティ１４が上下左右に整列して形成されている。各前部キャビティ１４内には、その下面壁に沿って前方へ片持ち状に延出するランス１５が形成されている。ランス１５は上下方向（前部キャビティ１４に対する端子金具８０の挿入方向と略直角な方向）へ弾性撓みし得るようになっている。前部キャビティ１４は、前後両方へ開口しているので、ランス１５を含めて前部キャビティ１４内は前後方向に型開きされる金型によって成形される。端子収容部１２には、その上面（外面）に沿って後方へ片持ち状に延出するロックアーム１６が形成されている。ロックアーム１６は、その前端の脚部において端子収容部１２の上面前端縁部に支持されており、ロックアーム１６は脚部を支点として上下方向に弾性撓みし得るようになっている。
【００１２】
フード部１３内は、第２ハウジング４０とリテーナ６０を収容するための収容凹部１７となっている。収容凹部１７は、第１ハウジング１１の後端面（フード部１３の後端面）においてほぼ全面に亘って端面側組付口１８として略方形に開口されているとともに、第１ハウジング１１の下面（第１ハウジング１１の後端面と直角な外側面）においてフード部１３の下面壁のほぼ全面に亘ってリテーナ用組付口１９として略方形に開口されている。端面側組付口１８は第２ハウジング４０を収容凹部１７内に組み付けるための開口部であり、リテーナ用組付口１９はリテーナ６０を収容凹部１７内に組み付けるための開口部である。
【００１３】
端面側組付口１８とリテーナ用組付口１９との境界部分、即ち端面側組付口１８の開口縁における下端縁からリテーナ用組付口１９の開口縁における後端縁に亘る部分は、左右方向に長い指宛て部２０となっている。指宛て部２０は、フード部１３の下面壁の後端縁、換言すると第１ハウジング１１の後端面の下端縁に配置され、フード部１３を構成する左右両側壁を連結している。指宛て部２０は、第１ハウジング１１の下面に対して下方へ段差状に突出した形態となっており、前後方向に型開きされる金型によって成形される。また、指宛て部２０における端面側組付口１８に臨む内面（上面）は、第１ハウジング１１の外面のうちリテーナ用組付口１９の形成されている下面を後方へ延長させた仮想平面（図示せず）と合致する形態となっている。したがって、指宛て部２０の成形に用いる金型を、リテーナ用組付口１９の形成されている第１ハウジング１１（端子収容部１２）の下面に沿って前方へ型開きされる金型と、指宛て部２０における端面側組付口１８に臨む内面に沿って後方へ型開きされる金型とによって構成し、この２つの金型を互いに摺接させる形態とすることにより、下方（金型の型開き方向と直角な方向）へ開口するリテーナ用組付口１９が形成されている。
【００１４】
フード部１３の左右両側壁の後端縁部は、段差状に幅方向外側へ張り出した形態の張出部２１となっている。この左右一対の張出部２１の下端部は上記指宛て部２０の左右両端部に連なっている。張出部２１の内面は側壁の内面に対して段差状に幅方向外側へ退避した形態となっており、張出部２１の内面には、上下方向における中央高さに位置する抜止め用受け部２２が形成されている。また、張出部２１の後端縁には、抜止め用受け部２２と同じ高さに位置するテーパ状のガイド斜面２３が形成されている。この張出部２１は、フード部１３の側壁の外面よりも外側へ張り出しているので、抜止め用受け部２２を含めて前後方向に型開きされる金型によって成形される。
【００１５】
さらに、フード部１３の後端部には、その上下両壁の左右両端部を上下両方向へ切欠した形態であって、収容凹部１７内（フード部１３内）に臨むとともにフード部１３の後端面に開口した形態の合計４つの嵌合凹部２４が形成されている。嵌合凹部２４は張出部２１の内面に対して面一状に連続している。また、端子収容部１２には、その後端面における左右両側縁を切欠した形態の係止溝２５が形成されている。係止溝２５の奥端縁（前端縁）には、本係止用突起２６が形成されている。
【００１６】
第１ハウジング１１の上面には、端子収容部１２からフード部１３の後端近くまで延びる左右一対の保護壁２７が形成されている。保護壁２７はロックアーム１６を左右両側かに挟むように位置している。フード部１３の上面壁のうち左右両保護壁２７の間の領域は切欠されているため、保護壁２７のうちフード部１３と対応する後端側部分においては、両保護壁２７の間の空間が収容凹部１７と連通している。したがって、ロックアーム１６の後端部は収容凹部１７内に臨むように位置している。かかる保護壁２７の内面には、その後端からフード部１３の前端に至る領域を切欠した形態のガイド溝２８が形成されている。ガイド溝２８のうち奥端部（前端部）を除いた領域の下面は収容凹部１７内に連通している。一方、ガイド溝２８の奥端部（前端部）は、収容凹部１７との間を隔壁２９によって仕切られた係止凹部３０（本発明の構成要件である係止部）となっており、係止凹部３０の上下両面は係止面となっている。このガイド溝２８と係止凹部３０は、後方へ開放されているので、後方へ型開きされる金型によって成形される。
【００１７】
第２ハウジング４０は、合成樹脂製であって、全体としてブロック状をなす。第２ハウジング４０内には、その前後両端面に開口する複数の後部キャビティ４１が上下左右に整列して形成されている。この後部キャビティ４１は前部キャビティ１４と対応するように配置され、対応する前部キャビティ１４と後部キャビティ４１とにより、前後方向に貫通するとともに略中央部分が途切れた形態のキャビティ４２が構成される。本実施形態では、キャビティ４２は上下２段に分かれて形成されている。
【００１８】
第２ハウジング４０の左右両側面には、その前後方向における略中央部分を外側へ段差状に張り出した形態の左右一対の第１段差部４３が形成され、この第１段差部４３の前端縁には仮係止用突起４４が形成されている。同じく第２ハウジング４０の左右両側面には、その後端部分を第１段差部４３よりも外側へ段差状に張り出した形態の左右一対の第２段差部４５が形成され、この第２段差部４５の前端縁には外側方へ突出する抜止め用突起４６が形成されている。また、第２段差部４５の上端部は、第２ハウジング４０の上面よりも上方へ突出した嵌合凸部４７となっており、第２段差部４５の下端部は、第２ハウジング４０の下面よりも下方へ突出した嵌合凸部４７となっている。
【００１９】
第２ハウジング４０の上面には、左右一対のガイドリブ４８が形成されている。ガイドリブ４８は前後方向に延びており、ガイドリブ４８の後端は第２ハウジング４０の後端縁よりも前方に位置し、ガイドリブ４８の前端は第２ハウジング４０の前端面よりも前方へ突出している。また、第２ハウジング４０の上面には、両ガイドリブ４８の幅方向内側の面に沿ってガイドリブ４８と平行に延びる補強リブ４９が形成されている。補強リブ４９は、ガイドリブ４８よりも低く、ガイドリブ４８の内側の面に連なっている。つまり、ガイドリブ４８り略前半部分は補強リブ４９によって剛性が高められている。また、ガイドリブ４８及び補強リブ４９の前端部、即ち第２はの前端面よりも前方へ突出している部分は、Ｌ字形断面の係止凸部５０（本発明の構成要件である係止部）となっている。
【００２０】
後部キャビティ４１は第２ハウジング４０を前後方向に貫通する形態であり、また、ガイドリブ４８と補強リブ４９は前後方向に直線状に延びる形態であり、第１段差部４３と第２段差部４５は階段状に外側方へ張り出した形態であり、仮係止用突起４４も抜止め用突起４６も外面側に突出しているので、第２ハウジング４０は前後方向に型開きされる金型によって成形されている。
【００２１】
リテーナ６０は、合成樹脂製であり、左右方向に細長いブロック状をなす本体部６１と、本体部６１の左右両端に連なる一対の側板６２とを一体に形成したものである。本体部６１には、前後方向に貫通する貫通孔６３が下段側のキャビティ４２と対応するように複数形成され、各貫通孔６３の内壁の下面には、二次係止部６４が形成されている。また、本体部６１の上面には、上段側のキャビティ４２と対応する複数の二次係止部６４が形成されている。  
側板６２は、板面が前後方向及び上下方向と平行をなしている。側板６２における本体部６１よりも前方の位置には、上方へ片持ち状に延出する形態の本係止用撓み片６５が形成されている。一方、側板６２における本体部６１よりも後方の位置には、上方へ片持ち状に延出する形態の仮係止用撓み片６６が形成されている。本係止用撓み片６５と仮係止用撓み片６６は、いずれも、前後方向への弾性撓みが可能となっている。
【００２２】
次に、本実施形態の作用を説明する。  
第１ハウジング１１と第２ハウジング４０を組み付ける際には、第２ハウジング４０を端面側組付口１８から収容凹部１７内に進入させる。進入を開始すると、ガイドリブ４８及び補強リブ４９の前端部がガイド溝２８への嵌合を開始するとともに、第２ハウジング４０の下面が指宛て部２０の上面への摺接を開始し、第２ハウジング４０は第１ハウジング１１に対して上下方向に位置決めされる。また、両ガイドリブ４８がガイド溝２８の内側面に摺接することにより、第２ハウジング４０は第１ハウジング１１に対して左右方向に位置決めされる。
【００２３】
そして、第２ハウジング４０が正規の組付位置に至ると、ガイドリブ４８と補強リブ４９の前端部である係止凸部５０が係止凹部３０内に嵌入し、第２ハウジング４０の前端部が第１ハウジング１１に対して上下左右への相対移動を規制される。また、第２段差部４５の外側面が張出部２１の内面に当接することにより、第２ハウジング４０の後端部が第１ハウジング１１に対して上下左右への相対移動を規制される。さらに、抜止め用突起４６が抜止め用受け部２２に係止することにより、第２ハウジング４０が第１ハウジング１１に対して後方（第１ハウジング１１からの離脱方向）への相対移動を規制される。また、係止凸部５０の前端が係止凹部３０の奥端面に突き当たることにより、第２ハウジング４０が前止まりされる。以上により、第２ハウジング４０が第１ハウジング１１に対して組付状態にロックされ、コネクタハウジング１０が構成される。
【００２４】
両ハウジング１１，４０が組み付けられた状態では、第１段差部４３がフード部１３の側壁の内面に沿うように位置するとともに、第１段差部４３の仮係止用突起４４が本係止用突起２６の後方に位置する。また、４つの嵌合凸部４７が夫々対応する嵌合凹部２４に嵌合される。さらに、第２ハウジング４０における後端部を除いた大部分は、リテーナ用組付口１９において第１ハウジング１１の下面側に露出する。そして、収容凹部１７内には、端子収容部１２の後端面と第２ハウジング４０の前端面との間に挟まれるとともに、リテーナ用組付口１９を介して第１ハウジング１１の外部（下方）に開口する収容空間７０が構成される。この収容空間７０は、リテーナ６０を収容するためのスペースである。端子収容部１２に形成されている係止溝２５は収容空間７０に連通している。また、第２ハウジング４０の外側面における第１段差部４３よりも前方の領域とフード部１３の側壁の内面との間に構成されるスリット状空間７１も、収容空間７０に連通している。スリット状空間７１は係止溝２５の後方に対向するように位置し、スリット状空間７１内には仮係止用突起４４が位置する。係止溝２５とスリット状空間は、収容空間７０と同様、リテーナ用組付口１９を介して第１ハウジング１１の外部（下方）に開口する。
【００２５】
上記のようにして組み付けられたコネクタハウジング１０には、リテーナ６０が組み付けられる。組付けに際しては、リテーナ６０の本体部６１をリテーナ用組付口１９から収容空間７０内に進入させるとともに、左右両側板６２をリテーナ用組付口１９から係止溝２５とスリット状空間７１に進入させる。そして、図７に示すように、本係止用撓み片６５の先端の爪を本係止用突起２６に突き当てるとともに、仮係止用撓み片６６の先端の爪を仮係止用突起４４に対して上から係止させることにより、リテーナ６０が仮係止位置に保持される。この状態では、図６に示すように、貫通孔６３が下段のキャビティ４２と対応する高さに位置するとともに、本体部６１の上面が上段のキャビティ４２の下面壁と同じ高さとなるように位置する。この状態では、キャビティ４２に対する端子金具８０の挿入動作を許容する。
【００２６】
この状態で、コネクタハウジング１０に対して端子金具８０が組み付けられる。組付けに際しては、端子金具８０が、後方から後部キャビティ４１内に挿入され、収容空間７０を通過して前部キャビティ１４内に差し込まれる。端子金具８０は前端側に角筒部８１を有する雌形のものであって、正規位置まで挿入された端子金具８０は、ランス１５による一次係止作用によって抜止めされる。正規挿入された端子金具８０の角筒部８１の後端縁は、収容空間７０に臨んでいる。
【００２７】
全ての端子金具８０の組付けが済んだら、仮係止位置に保持されているリテーナ６０を本係止位置まで押し上げる（収容空間７０内に押し込む）。すると、図１１に示すように、本係止用撓み片６５の先端の爪が本係止用突起２６に対して上から係止することにより、リテーナ６０は本係止位置にロックされる。この状態では、図９に示すように、リテーナ６０の二次係止部６４が端子金具８０の角筒部８１の後端縁に対して後方から係止することにより、端子金具８０は後方への移動を規制された二次係止状態となる。これにより、端子金具８０はランス１５による一次係止作用とリテーナ６０による二次係止作用とによって、確実に抜止め状態にロックされる。
【００２８】
上述のように本実施形態においては、コネクタハウジング１０が、前後方向に型開きされる金型によって個別に成形された第１ハウジング１１と第２ハウジング４０とを組み付けて構成され、両ハウジング１１，４０を組み付けた状態では、図３及び図９に示すように、前側に位置する第１ハウジング１１と後側に位置する第２ハウジング４０との間にリテーナ６０を収容するための収容空間７０が形成されるようになっている。したがって、コネクタハウジング１０を成形するための金型としては、第１ハウジング１１と第２ハウジング４０を成形するための前後方向に型開きされる金型だけで済み、リテーナ６０の収容空間７０を形成するために前後方向と直角な方向（下方）に型開きされる金型は不要である。このように本実施形態によれば、コネクタハウジング１０成形用の金型の型開きに必要なスペースを小さく抑えることができる。
【００２９】
また、本実施形態では、第２ハウジング４０を収容凹部１７内に組み付けた状態では、第２ハウジング４０の一部が、リテーナ用組付口１９において露出する形態となっているが、このような形態である場合、第２ハウジング４０がリテーナ用組付口１９側へ変位することが懸念されるが、本実施形態では、図３に示すように、係止凸部５０と係止凹部３０とを係止させることにより、第２ハウジング４０の前端側がリテーナ用組付口１９側へ変位することが防止されている。一方、第２ハウジング４０の後端部は、第１ハウジング１１に対して上下への相対移動を規制されているので、リテーナ用組付口１９側へ変位することはない。これにより、第１ハウジング１１に対する第２ハウジング４０の傾きが防止されるので、前部キャビティ１４と後部キャビティ４１とが上下方向へ芯ずれすることがなく、端子金具８０を引っかかりなくキャビティ４２内に挿入することができる。
【００３０】
＜他の実施形態＞
本発明は上記記述及び図面によって説明した実施形態に限定されるものではなく、例えば次のような実施態様も本発明の技術的範囲に含まれる。  
（１）本発明は、先端に細長いタブを有する雄端子金具が収容される雄側コネクタにも適用できる。  
（２）収容凹部は後側のハウジング構成体に形成されていてもよい。この場合、収容凹部は、前方へ開口することになる。  
（３）一方のハウジング構成体に収容凹部を形成せず、他方のハウジング構成体が一方のハウジング構成体の内部に収容されない形態としてもよい。
【図面の簡単な説明】
【００３１】
【図１】実施形態１において前方から視た分解斜視図
【図２】後方から視た分解斜視図
【図３】第１ハウジングと第２ハウジングを組み付けた状態をあらわす縦断面図
【図４】第１ハウジングと第２ハウジングを組み付けた状態をあらわす背面図
【図５】第１ハウジングと第２ハウジングを組み付けた状態をあらわす底面図
【図６】コネクタハウジングに対してリテーナを仮係止位置に組み付けた状態をあらわす縦断面図
【図７】リテーナを仮係止位置に保持する係止手段をあらわす縦断面図
【図８】コネクタハウジングにリテーナと端子金具とを組み付けた状態をあらわす底面図
【図９】コネクタハウジングにリテーナと端子金具とを組み付けた状態をあらわす縦断面図
【図１０】第２ハウジングの傾き防止構造をあらわす縦断面図
【図１１】リテーナを本係止位置に保持する係止手段をあらわす縦断面図
【図１２】第１ハウジングと第２ハウジングを組み付けた状態をあらわす水平断面図
【図１３】第１ハウジングの縦断面図
【図１４】第１ハウジングの背面図
【図１５】第１ハウジングの底面図
【図１６】第１ハウジングの水平断面図
【図１７】第１ハウジングの横断面図
【図１８】第２ハウジングの底面図
【符号の説明】
【００３２】
１０…コネクタハウジング
１１…第１ハウジング構成体（一方のハウジング構成体）
１７…収容凹部
１８…端面側組付口
１９…リテーナ用組付口
２０…指宛て部
３０…係止凹部（係止部）
４０…第２ハウジング構成体（他方のハウジング構成体）
４２…キャビティ
５０…係止凸部（係止部）
６０…リテーナ
７０…収容空間
【図１】
2008027701.tif 000003
【図２】
2008027701.tif 000004
【図３】
2008027701.tif 000005
【図４】
2008027701.tif 000006
【図５】
2008027701.tif 000007
【図６】
2008027701.tif 000008
【図７】
2008027701.tif 000009
【図８】
2008027701.tif 000010
【図９】
2008027701.tif 000011
【図１０】
2008027701.tif 000012
【図１１】
2008027701.tif 000013
【図１２】
2008027701.tif 000014
【図１３】
2008027701.tif 000015
【図１４】
2008027701.tif 000016
【図１５】
2008027701.tif 000017
【図１６】
2008027701.tif 000018
【図１７】
2008027701.tif 000019
【図１８】
2008027701.tif 000020